(57)【特許請求の範囲】
【請求項１】
第１の記録フォーマットに対応する位置情報が記録されたディスク媒体に対し、前記第１の記録フォーマットよりも記録密度の高い第２の記録フォーマットにてデータを記録するための制御を行うデータ記録制御装置であって、
前記ディスク媒体から読み出される位置情報に基づいて第１のアドレスデータを生成する第１のアドレス生成回路と、
前記第１のアドレスデータを前記第２の記録フォーマットに対応する第２のアドレスデータに変換する変換回路と、
前記第２の記録フォーマットに対応するディスク媒体から読み出される位置情報に基づいて第２のアドレスデータを生成する第２のアドレス生成回路と、
前記変換回路で生成されるアドレスデータおよび前記第２のアドレス生成回路で生成されるアドレスデータのいずれか一方を選択するアドレス選択回路と、
前記第２のアドレスデータに基づいて前記ディスク媒体へのデータの書き込みタイミングを生成する第１のタイミング発生回路と、を備えたことを特徴とするデータ記録制御装置。
【請求項２】
前記アドレス選択回路は、前記第２の記録フォーマットに対応する位置情報の読み出しに応じて前記第２のアドレス生成回路により生成されるアドレスデータを選択し、前記第１の記録フォーマットに対応する位置情報の読み出しに応じて前記変換回路により生成されるアドレスデータを選択する
請求項１に記載のデータ記録制御装置。
【請求項３】
前記アドレス選択回路は、前記第２のアドレス生成回路により生成されるアドレスデータを優先的に選択し、前記第２の記録フォーマットに対応する位置情報の読み出しの検知がなされないことを条件に前記変換回路により生成されるアドレスデータを自動的に選択する
請求項１に記載のデータ記録制御装置。
【請求項４】
前記アドレス選択回路は、外部からの指令に基づいて前記アドレスデータの選択を行う
請求項１に記載のデータ記録制御装置。
【請求項５】
前記第１のアドレスデータに基づいて前記第１の記録フォーマットに対応するディスク媒体へのデータの書き込みタイミングを生成する第２のタイミング発生回路をさらに備えることを特徴とする
請求項１〜４のいずれかに記載のデータ記録制御装置。
【請求項６】
記録を所望するデータに対して、前記第１のタイミング発生回路が生成する書き込みタイミングに基づき前記第２の記録フォーマットに対応する変調処理を施す変調回路と、
前記変調回路にて変調処理の施されたデータに基づいて書き込み信号をデータ記録対象となるディスク媒体に応じた強度に制御する信号強度制御回路と、をさらに備えることを特徴とする
請求項１〜４のいずれかに記載のデータ記録制御装置。
【請求項７】
記録を所望するデータに対して、前記第２のタイミング発生回路が生成する書き込みタイミングに基づき前記第１の記録フォーマットに対応する第１の変調処理を施す第１の変調回路と、
記録を所望するデータに対して、前記第１のタイミング発生回路が生成する書き込みタイミングに基づき前記第２の記録フォーマットに対応する第２の変調処理を施す第２の変調回路と、
前記第１および第２の変調回路のいずれか一方にて変調処理の施されたデータに基づいて書き込み信号を前記第１の記録フォーマットに対応するディスク媒体に応じた強度に制御する第１の信号強度制御回路と、
前記第２の変調回路にて変調処理の施されたデータに基づいて書き込み信号を前記第２の記録フォーマットに対応するディスク媒体に応じた強度に制御する第２の信号強度制御回路と、をさらに備える
請求項５に記載のデータ記録制御装置。
【発明の詳細な説明】
【０００１】
【発明の属する技術分野】
本発明は、たとえば光ディスク等、データの記録位置に関する情報を含んで形成された媒体にデータの記録を行うデータ記録装置についてその記録動作を制御するデータ記録制御装置に関する。
【０００２】
【従来の技術】
近年、光ディスクを記録媒体とする大容量のデータ記録装置が普及してきている。これら光ディスクには、データの書き込み位置を示すアドレス情報が、記録媒体としての製造時に作りこまれていることが多い。
【０００３】
たとえば、このような光ディスクの１つとして、コンパクトディスク（Compact Disk；以下、「ＣＤ」という）がある。このＣＤは、ディスクにらせん状に形成された１本のトラックに情報を記録するもので、情報機器に用いられる書き込み可能な記録媒体としてのＣＤには、ＣＤ−Ｒ（Compact Disk-Recordable ）やＣＤ−ＲＷ（Compact Disk-Rewritable ）等がある。これら書き込み可能なＣＤのトラックは、ディスクの平坦面（ランド）に対してグルーブとよばれる溝が形成されてできている。このグルーブはわずかに蛇行（ウォブル）して形成されており、この蛇行の周期変化に対してＡＴＩＰ（Absolute Time In Pregroove）とよばれる情報が書き込まれる。こうして、トラックをトレースすることによりグルーブのウォブルとして書き込まれたＡＴＩＰ情報を読み出し、現在のトラック位置の絶対時間情報を得ることができるようになっている。この絶対時間情報はディスク上の位置を示しており、記録媒体としては書き込み位置を指定するアドレス情報である。なお、以下の記述において「ＣＤ」は、データの書き込みが可能なＣＤを指すものとする。
【０００４】
また、光ディスクとしては、上記ＣＤよりさらに記憶容量の大きいＤＶＤ（Digital Versatile Disk）も普及しつつある。このＤＶＤが情報機器等の書き込み可能な記録媒体として用いられる場合にも、ディスクには上記ウォブルが作りこまれている。ただし、ＤＶＤにおいては、ウォブルには必ずしもアドレス情報が含まれてはいない。このＤＶＤでは、ウォブルに加えてランドプリピット（ＬＰＰ）とよばれるアドレス情報を含む領域が、トラック上に所定の間隔で設けられている。このＬＰＰによるアドレス情報は、ＣＤのようにトラック位置の絶対時間情報ではなく、セクタ毎に付与された連続番号により与えられる。なお、ＤＶＤは、ＣＤと比較して数倍の記録容量を有しているため、今後広く普及することが予想される。また、以下の記述において「ＤＶＤ」は、データの書き込みが可能なＤＶＤを指すものとする。
【０００５】
このように、記録媒体としてのＣＤとＤＶＤとでは、書き込み位置を示すアドレス情報の実装方法が異なる。また、そこに記録されるデータのフォーマットや変調方式等も異なる。したがって、ＣＤおよびＤＶＤの双方に対してデータを記録および再生する装置（記録再生装置）を構成する場合には、通常、それぞれを記録および再生する部分を各別に必要とする、たとえば図５に示すような構成が考えられる。
【０００６】
すなわち図５は、ＤＶＤとＣＤとを記録媒体として扱うことのできる記録再生装置の構成例を、それらにデータの書き込む際の信号の流れとともに例示したものである。
【０００７】
まず、ＤＶＤにデータを書き込む場合、図５に示されるように、ヘッド部１０２によりディスク１０１からピックアップされた信号がＬＰＰ検出回路１１３に入力される。この入力を受けて、ＬＰＰ検出回路１１３はＬＰＰ信号１１３ａを出力する。そして、このＬＰＰ信号１１３ａを入力として、ＬＰＰデコーダ１１４がディスクのアドレス情報等を含むＬＰＰデータ１１４ａを取り出す。
【０００８】
こうして読み取られたＬＰＰデータ１１４ａは、ＤＶＤライトタイミング発生回路１１５に入力される。そして、８−１６変調回路１１６は、このＤＶＤライトタイミング発生回路１１５からの指令を受けて、外部から送られてきた書き込み（ライト）データの変調を行い、これをＤＶＤライトストラテジー１１７に出力する。ＤＶＤライトストラテジー１１７は、８−１６変調されたライトデータに基づいて、それらデータをディスクに正確に記録するためにレーザービームの出力強度を考慮したパルス信号に変換して出力する。このＤＶＤライトストラテジー１１７から出力された信号は、切替制御信号により入力信号を択一的に選択出力するセレクタ１１８を介してライトシグナルゲート１１９に送出される。ライトシグナルゲート１１９はＤＶＤライトタイミング発生回路１１５からのタイミング信号を受けてこの選択出力された信号をヘッド部１０２に出力する。これにより、ＤＶＤに対するデータの書き込みが行われる。
【０００９】
また、同記録再生装置を用いてＣＤにデータを書き込む場合、同じく図５に示されるように、ヘッド部１０２によりディスク１０１からピックアップされた信号がウォブル検出回路１２３に入力される。この入力を受けて、ウォブル検出回路１２３はウォブル信号１２３ａを出力する。そして、このウォブル信号１２３ａを入力として、ＡＴＩＰデコーダ１２４がディスクのアドレス情報等を含むＡＴＩＰデータ１２４ａを取り出す。
【００１０】
こうして読み取られたＡＴＩＰデータ１２４ａは、ＣＤライトタイミング発生回路１２５に入力される。そして、８−１４変調回路１２６は、このＣＤライトタイミング発生回路１２５からの指令を受けて、外部から送られてきたライトデータの変調を行い、これをＣＤライトストラテジー１２７に出力する。ＣＤライトストラテジー１２７も、ＤＶＤライトストラテジー１２６と同様、８−１４変調されたライトデータをディスクに正確に記録するためにレーザービームの出力強度を考慮したパルス信号に変換して出力する。このＣＤライトストラテジー１２７から出力された信号は、上記セレクタ１１８を介してライトシグナルゲート１１９に送出される。ライトシグナルゲート１１９は、ＣＤライトタイミング発生回路１２５からのタイミング信号を受けてこの選択出力された信号をヘッド部１０２に出力する。これにより、ＣＤに対するデータの書き込みが行われる。
【００１１】
一方、上記記録再生装置を用いたデータの読み出し（再生）は、図６に示す処理を経て行われる。
【００１２】
まず、同記録再生装置を用いてＤＶＤに記録されているデータを読み出す場合、図６（ａ）に示されるように、ピックアップ１３０により読み出された信号が、ＲＦアンプ１３１によって増幅される。この増幅された信号が２値化回路１３２により「０」または「１」のディジタルデータに変換される。変換されたディジタルデータは、リードチャネル回路１３３に入力され、ここから、所定周波数のリードチャネルクロックが生成される。そして、２値化回路１３２にて変換されたディジタルデータが、リードチャネルクロックによりサンプリングされ、１６ビットのデータが復元される。ＤＶＤ同期検出回路１３４は、この復元されたディジタルデータから同期信号を検出して、読み出し対象のデータを抽出する。さらに、８−１６復調回路１３５がこの抽出されたデータを８ビットのデータに復調する。こうして復調されたデータが、バッファリング回路１３６を介してＤＲＡＭに送出され、データが読み出される。
【００１３】
また、上記記録再生装置を用いてＣＤに記録されているデータを読み出す場合も、上記処理とほぼ同様の処理が行われる。ただし、ＣＤに記録されたデータの読み出しにあっては、図６（ｂ）に示されるように、ＣＤから読み出してサンプリングしたディジタルデータの同期および復調にあたって、ＣＤ用の同期検出回路１４４と、８−１４復調回路１４５とが必要になる。
【００１４】
【発明が解決しようとする課題】
上述のように、ＤＶＤとＣＤとを記録媒体として扱うことのできる記録再生装置を構成する場合、それらに記録されているデータへの書き込みおよび読み出しの際に、それぞれのデータ記録形式に応じた各別の機能を果たす回路が必要となる。その結果、記録再生装置を制御する制御装置としての構成も自ずと複雑なものにならざるを得ない。
【００１５】
ちなみに、ＤＶＤのみを記録媒体として扱う場合には、ＣＤに特有の部分についてこれを取り除けばよい。しかしこの場合には、それら不要部分を取り除いてしまうことで、広く普及しており経済的負担も小さいＣＤを記録媒体としてまったく利用できなくなってしまうことになり、需要とのバランスの面でも望ましくない。
【００１６】
本発明は、こうした実情に鑑みてなされたものであり、その目的は、たとえば上述したＣＤとＤＶＤ等、データ記録形式の異なる媒体であれ、それらデータの記録をより簡素な構成にて実現することのできるデータ記録制御装置を提供することにある。
【００１７】
【課題を解決するための手段】
この発明は、第１の記録フォーマットに対応する位置情報が記録されたディスク媒体に対し、前記第１の記録フォーマットとよりも記録密度の高い第２の記録フォーマットにてデータを記録するための制御を行うデータ記録制御装置であって、前記ディスク媒体から読み出される位置情報に基づいて第１のアドレスデータを生成する第１のアドレス生成回路と、前記第１のアドレスデータを前記第２の記録フォーマットに対応する第２のアドレスデータに変換する変換回路と、前記第２のアドレスデータに基づいて前記ディスク媒体へのデータの書き込みタイミングを生成する第１のタイミング発生回路と、を備えたことで、たとえばＣＤとＤＶＤ等、データ記録形式の異なる媒体であれ、それらデータの記録をより簡素な構成にて実現することを可能とする。
【００１８】
【発明の実施の形態】
（第１の実施の形態）
以下、本発明にかかるデータ記録制御装置の第１の実施の形態について図１〜図３を使って説明する。この第１の実施の形態では、記録媒体としてＤＶＤを用いるデータ記録装置に、ＣＤを記録媒体として利用可能にするとともに、このＣＤにＤＶＤのデータ形式にてデータを記録することを可能にするデータ記録制御装置について説明する。
【００１９】
図１は、このデータ記録制御装置とその周辺部の構成を示すブロック図である。図１において１点鎖線で囲まれている部分が本実施の形態で例示するデータ記録制御装置である。この構成について、ＤＶＤおよびＣＤをそれぞれ記録媒体として用いた場合の信号の流れに沿って説明する。
【００２０】
まず、ＤＶＤにＤＶＤフォーマットでデータを書き込む場合、図１に示されるように、ヘッド部１２によりディスク１１からピックアップされた信号がＬＰＰ検出回路１３に入力される。この入力を受けて、ＬＰＰ検出回路１３はＬＰＰ信号１３ａを出力する。そして、このＬＰＰ信号１３ａに基づいて、ＬＰＰデコーダ１４がディスク１１のアドレス情報等を含むＬＰＰデータ１４ａを取り出す。
【００２１】
こうして読み取られたＬＰＰデータ１４ａは、切替制御信号により信号を択一的に選択するセレクタ５１を介して、ライトタイミング発生回路１５へと選択出力される。そして、８−１６変調回路１６は、ライトタイミング発生回路１５からの指令を受けて、外部から送られてきた書き込み（ライト）データの変調を行い、これをＤＶＤライトストラテジー１７に出力する。このＤＶＤライトストラテジー１７から出力された信号は、同じく切替制御信号により信号を択一的に選択するセレクタ１８を介して、ライトシグナルゲート１９に送出される。ライトシグナルゲート１９はライトタイミング発生回路１５からのタイミング信号を受けてこれをヘッド部１２に出力する。これにより、ディスク（ＤＶＤ）１１の所定位置への所望のデータの書き込みが行われる。
【００２２】
また、同記録再生装置を用いてＣＤにデータを書き込む場合、同じく図１に示されるように、ヘッド部１２によりディスク１１からピックアップされた信号がウォブル検出回路２３に入力される。この入力を受けて、ウォブル検出回路２３はウォブル信号２３ａを出力する。そして、このウォブル信号２３ａに基づいて、ＡＴＩＰデコーダ２４がディスク１１のアドレス情報等を含むＡＴＩＰデータ２４ａを取り出す。
【００２３】
こうして読み取られたＡＴＩＰデータ２４ａ、すなわちＣＤフォーマットのアドレスデータは、アドレスコンバータ５５へと出力される。アドレスコンバータ５５は、このＣＤフォーマットのアドレスデータをＤＶＤフォーマットのアドレスデータ、すなわちＬＰＰデータに変換する。そして、この変換されたＬＰＰデータは、上記セレクタ５１を介して、ライトタイミング発生回路１５に入力される。そして、８−１６変調回路１６はライトタイミング発生回路１５からの指令を受けて、外部から送られてきたライトデータの変調を行い、これをＣＤライトストラテジー２７に出力する。このＣＤライトストラテジー２７から出力された信号は、上記セレクタ１８を介してライトシグナルゲート１９に送出される。ライトシグナルゲート１９はライトタイミング発生回路１５からのタイミング信号を受けてこれをヘッド部１２に出力する。これにより、ディスク（ＣＤ）１１の所定位置への所望のデータの書き込みが行われる。
【００２４】
上述のように、このデータ記録制御装置により、記録媒体としてＤＶＤおよびＣＤのいずれを用いた場合も、ＤＶＤフォーマットのアドレス情報に基づいて、８−１６変調を施したＤＶＤのデータ形式にてディスク１１にデータが記録される。なお、この場合、書き込み対象のディスクがＤＶＤまたはＣＤのいずれであるかの判断は、図示しない媒体の認識回路によって行われ、それに基づいて上記切替制御信号が出力される。
【００２５】
次に、アドレスコンバータ５５によるアドレスデータの変換について説明する。まず、ＣＤおよびＤＶＤに用いられているアドレスデータの表現方法について説明し、そののちにそれらアドレスデータの変換アルゴリズムについて述べる。
【００２６】
記録媒体としてＣＤを用いる場合、ウォブル信号２３ａから読み出された情報に含まれるＡＴＩＰアドレスは２４ビットのデータである。この２４ビットデータのうち、上位８ビットは「分（ＭＩＮ）」を示し、それに続く８ビットは「秒（ＳＥＣ）」を示し、下位８ビットは「フレーム（ＦＲＭ）」を示している。そして、この２４ビットのアドレスデータは、２進化１０進数（ＢＣＤ（Binary Coded Decimal）コード）にて表現されている。これら２４ビットを４ビットずつに区切った１０進数にて表すと、図２左部に示すようになる。すなわち、ＭＩＮ、ＳＥＣ、およびＦＲＭの各データは２桁の１０進数にて表され、これらデータはそれぞれ
００  ≦  ＭＩＮ  ≦  ９９
００  ≦  ＳＥＣ  ≦  ５９
００  ≦  ＦＲＭ  ≦  ７４
の範囲の数値をとる。ちなみに、ＣＤの利用者がデータの記録を行うことができるユーザ領域は、「００  ≦  ＭＩＮ  ≦  ７９」の範囲であり、「８０  ≦  ＭＩＮ」の範囲にはＴＯＣ（Table Of Contents ）とよばれるディスクに関する情報等が記録される予約領域となっている。
【００２７】
一方、記録媒体としてＤＶＤを用いる場合、ＬＰＰ信号１３ａから読み出された情報に含まれるＬＰＰアドレスも２４ビットのデータである。ただし、ＬＰＰアドレスは、ディスク全体のトラックに一連の「セクタ（ＳＥＣＴＯＲ）」番号を付して、これを１６進数で表現したものである。この場合、図２右部に示されるように、「0x0040E0」を基点としてＡＴＩＰアドレスの各フレームに応じてＬＰＰアドレスの２セクタが割り当てられる。そして、「0x030000」セクタ以上がユーザ領域となり、それ未満が予約領域となる。ここで、これらアドレスの先頭に付した「0x」は、そのアドレスが１６進数で表現されていることを示している。
【００２８】
上記ＡＴＩＰアドレスからＬＰＰアドレスへの変換を、アドレスコンバータ５５は図３に示す以下の手順にて行う。なお、図３において用いられている「ＡＴＩＰ［２３：２０］」等の表現は、「ＡＴＩＰデータ２４ビットのうちの２３ビット（最上位ビット）〜２０ビットの４ビット」等を示している。
【００２９】
図３に示されるように、ＡＴＩＰデータの入力が行われるとアドレスコンバータ５５はまず、そのＡＴＩＰデータから次式によりＭＩＮ、ＳＥＣ、およびＦＲＭの各値をそれぞれ算出する（ステップＳ３０１）。
【００３０】
ＭＩＮ  ＝  ＡＴＩＰ［２３：２０］×１０  ＋  ＡＴＩＰ［１９：１６］
ＳＥＣ  ＝  ＡＴＩＰ［１５：１２］×１０  ＋  ＡＴＩＰ［１１：  ８］
ＦＲＭ  ＝  ＡＴＩＰ［  ７：  ４］×１０  ＋  ＡＴＩＰ［  ３：  ０］
続いて、アドレスコンバータ５５は、このとき算出されたＭＩＮの値が「８０」を超えるかどうか判断する（ステップＳ３０２）。そして、ＭＩＮの値が「８０」未満である場合、「ＣＮＴ  ＝  ＭＩＮ×６０×７５＋ＳＥＣ×７５＋ＦＲＭ」として、次式によりそれに相当するＬＰＰアドレスにおけるセクタを算出する（ステップＳ３０３）。
【００３１】
ＳＥＣＴＯＲ  ＝  0x030000  ＋  ＣＮＴ×２
また、ＭＩＮの値が「８０」以上である場合、次式によりＬＰＰアドレスにおけるセクタを算出する（ステップＳ３０４）。
【００３２】
ＳＥＣＴＯＲ  ＝  0x030000  −  （１００×６０×７５  −  ＣＮＴ）×２
上記変換式によりＣＤのウォブル信号から検出したＡＴＩＰアドレスが、ＤＶＤのＬＰＰアドレスに変換される。そして、ＣＤに対して、その変換されたＬＰＰアドレスにより指定される位置に、ＤＶＤのデータ形式にてのデータの書き込み（記録）が行われる。
【００３３】
なお、このデータ記録制御装置は、記録対象としているディスクの種類の判別が正しくできない場合、ＬＰＰデータ１４ａによる処理を優先的に実行するようにしている。ただし、そのＬＰＰデータ１４ａから算出されるＬＰＰアドレスが不適切な値であると判定された場合には、アドレスコンバータ５５がＡＴＩＰデータ２４ａから算出したＬＰＰアドレスを自動的に選択してこれを能動とするようにもなっている。
【００３４】
ところで、上述のように記録媒体としてＣＤを用いて、これにＤＶＤのデータ形式で記録したデータは、先に図６（ａ）に示したような処理がなされて再生される。
【００３５】
まず、ピックアップ１３０により読み出された信号が、ＲＦアンプ１３１によって増幅される。この増幅された信号が２値化回路１３２により「０」または「１」のディジタルデータに変換される。そして、変換されたディジタルデータは、リードチャネル回路１３３が発生するリードチャネルクロックにより所定のサンプリング周波数にてサンプリングされる。ＤＶＤ同期検出回路１３４は、このサンプリングされたディジタルデータから同期信号を検出して、読み出し対象のデータを抽出する。さらに、８−１６復調回路１３５がこの抽出されたデータを復調する。こうして復調されたデータが、バッファリング回路１３６を介してＤＲＡＭに送出され、データが読み出される。
【００３６】
すなわち、このデータ記録制御装置を用いてＣＤに記録されたＤＶＤフォーマットのデータ再生は、一部の光学系部品やピックアップした信号処理のための回路を除き、ＤＶＤのデータ再生に用いられる各種回路をそのまま利用することで可能となる。
【００３７】
以上説明したように、この第１の実施の形態にかかるデータ記録制御装置によれば、以下のような効果を得ることができるようになる。
【００３８】
（１）記録媒体としてＤＶＤを用いるデータ記録装置において、ＣＤへのデータの記録をするための各種回路を設けることなく、アドレスコンバータ５５の付加等、簡素な構成にてＣＤに対するＤＶＤ形式のデータ記録が可能になる。
【００３９】
（２）また、上記ＣＤに記録したＤＶＤ形式のデータが、ＣＤからのデータの読み出し（再生）に必要となる各種回路を設けることなく再生可能となる。
【００４０】
（３）対象としている記録媒体の種類が外部回路により適切に判別できない場合、記録媒体のアドレス情報がＬＰＰデータ１４ａから優先的に得られるようになる。
【００４１】
（４）上記ＬＰＰデータ１４ａから算出されるＬＰＰアドレスが不適切な値であると判定された場合には、アドレスコンバータ５５がＡＴＩＰデータ２４ａから算出したＬＰＰアドレスを自動的に選択してこれを能動として用いるようになる。
【００４２】
（５）ＤＶＤまたはＣＤを用いる場合に応じて、それぞれＤＶＤライトストラテジー１７またはＣＤライトストラテジー２７のいずれかを用いるようにしている。このため、書き込み対象の各ディスク１１の種類に対応して、書き込み信号が適切な強度に制御される。したがって、上記いずれの種類のディスクに対してのデータ記録も信頼性の高いものとすることができるようになる。
【００４３】
（６）ＤＶＤのデータ形式によりデータ記録が行われるため、ＤＶＤはもちろん、ＣＤを記録媒体として用いる場合にあってもＤＶＤの強力な誤り訂正機能によってより信頼性高くデータの記録を行うことができるようになる。
【００４４】
（第２の実施の形態）
以下、本発明にかかるデータ記録制御装置の第２の実施の形態について図４を使って説明する。この第２の実施の形態では、記録媒体としてＤＶＤを用いるデータ記録装置に、ＣＤを記録媒体として利用可能にするとともに、このＣＤにＣＤまたはＤＶＤのデータ形式にてデータを記録することを可能にするデータ記録制御装置について、先の第１の実施の形態との相違点を中心に説明する。
【００４５】
図４は、上記データ記録制御装置とその周辺部の構成を示すブロック図である。図４においても、１点鎖線で囲まれている部分が本実施の形態で例示するデータ記録制御装置である。図４に示されるように、この第２の実施の形態の構成においては、先の第１の実施の形態の構成に加えて、ＣＤライトタイミング発生回路２５と８−１４変調回路２６とセレクタ２８とをさらに備える。そして、ＡＴＩＰデコーダ２４から出力されるＡＴＩＰアドレスがＣＤライトタイミング発生回路２５に入力されている。なお、図４におけるＤＶＤライトタイミング発生回路１５と図１におけるライトタイミング発生回路１５とは同じものである。
【００４６】
すなわち、上記追加された回路構成要素により、ＣＤに対してのＣＤのデータ形式での記録を可能にしている。そして、ＤＶＤライトタイミング発生回路１５またはＣＤライトタイミング発生回路２５のいずれかからライトシグナルゲート１９に対してゲート信号を出力されているとき、セレクタ１８によって選択されたライトストラテジー回路からの出力信号がライトシグナルゲート１９を介してヘッド部１２に出力される。これにより、ディスク（ＣＤ）１１の所定位置への所望のデータの書き込みがＣＤまたはＤＶＤでのデータ形式により行われる。
【００４７】
以上説明したように、この第２の実施の形態にかかるデータ記録制御装置によれば、以下のような効果を得ることができるようになる。
【００４８】
（７）ＣＤに対するデータの書き込みをＣＤまたはＤＶＤでのデータ形式により行われる。すなわち、ＣＤに対するデータの記録がより柔軟なかたちで行われるようになる。
【００４９】
（その他の実施の形態）
なお、上記各実施の形態は以下のように変更して実施してもよい。
【００５０】
・上記第１の実施の形態においては、ＣＤのウォブル信号２３ａからＤＶＤのアドレス情報であるＬＰＰアドレスを算出する際に、いったんＡＴＩＰデコーダ２４によりＡＴＩＰアドレスを算出してからこれをＬＰＰアドレスに変換する場合について説明したが、必ずしもこの構成に限定されるものではない。ウォブル信号２３ａからＡＴＩＰアドレスを算出することなく直接ＬＰＰアドレスに変換する構成としてもよい。
【００５１】
・上記各実施の形態においては、セレクタ１８およびセレクタ５１が外部から与えられる切替制御信号により制御される場合について例示したが、必ずしもこの構成に限定されるものではない。外部からの切替制御信号に代えて、ＬＰＰデコーダ１４またはＡＴＩＰデコーダ２４等、データ記録制御装置内部にて検知されるアドレス信号に応じてこれらセレクタ１８およびセレクタ５１の動作を制御するように構成してもよい。
【００５２】
・上記各実施の形態においては、ディスク１１に対する書き込み信号の強度を制御するために、ＤＶＤに対してはＤＶＤライトストラテジー１７を、またＣＤに対してはＣＤライトストラテジー２７を、それぞれデータ記録制御装置の内部に備える場合について説明したが、必ずしもこの構成に限定されるものではない。これらデータの書き込みを行うライトストラテジー回路については、これらを外部の回路として設けてもよい。その場合には、データ記録制御装置としての構成をより簡素なものとすることができる。
【００５３】
・上記各実施の形態においては、ＤＶＤを記録媒体として用いるデータ記録装置について、ＣＤをも記録媒体として使用できるようにする場合について説明したが、必ずしもこの構成に限定されるものではない。上記ＤＶＤおよびＣＤに限らず、データの記録位置に関する情報を含んで形成された媒体にデータを記録する任意のデータ記録装置に用いるデータ記録制御装置についても、本発明を適用することができる。
【００５４】
【発明の効果】
請求項１に記載の発明では、第１の記録フォーマットに対応する位置情報が記録されたディスク媒体に対してデータを記録するための制御を行うデータ記録制御装置であって、ディスク媒体から読み出される位置情報に基づいて第１のアドレスデータを生成する第１のアドレス生成回路と、その第１のアドレスデータを第２の記録フォーマットに対応する第２のアドレスデータに変換する変換回路と、第２のアドレスデータに基づいてディスク媒体へのデータの書き込みタイミングを生成する第１のタイミング発生回路と、を備える。このため、ディスク媒体から得られた第１の記録フォーマットに対応する位置情報に基づいて、第２の記録フォーマットでのデータの書き込みタイミングが生成されるようになる。これにより、たとえば、ＣＤに対するＤＶＤフォーマットでのデータの記録がより簡素な構成にて実現されて、ＣＤに対するより記録密度の高い記録フォーマットでのデータの記録が可能になる。
【００５５】
請求項２に記載の発明では、上記第２の記録フォーマットに対応するディスク媒体から読み出される位置情報に基づいて第２のアドレスデータを生成する第２のアドレス生成回路と、上記変換回路で生成されるアドレスデータおよび第２のアドレス生成回路で生成されるアドレスデータのいずれか一方を選択するアドレス選択回路と、をさらに備える。このため、第２の記録フォーマットでのデータの書き込みタイミングが、第１の記録フォーマットに対応する位置情報および第２の記録フォーマットに対応する位置情報のいずれかに基づいて選択的に生成されるようになる。
【００５６】
請求項３に記載の発明では、ディスク媒体から読み出される位置情報に応じてアドレス選択回路を適切に機能させることができる。このため、データ記録装置としての記録動作をより確実に行うことができるようになる。
【００５７】
請求項４に記載の発明では、ディスク媒体から第２の記録フォーマットに対応する位置情報が読み出されない場合にあってもアドレス選択回路を適切に機能させることができる。このため、データ記録装置としての記録動作をより好適に行うことができるようになる。
【００５８】
請求項５に記載の発明では、アドレス選択回路に対する選択指令を外部から与えることが可能となる。このため、ディスク媒体に対する自由度の高いデータの記録が行えるようになる。
【００５９】
請求項６に記載の発明では、第１のアドレスデータに基づいて上記第１の記録フォーマットに対応するディスク媒体へのデータの書き込みタイミングを生成する第２のタイミング発生回路をさらに備える。このため、ディスク媒体から得られた第１の記録フォーマットに対応する位置情報に基づいて、第１の記録フォーマットでのデータの書き込みタイミングがさらに生成されるようになる。
【００６０】
請求項７に記載の発明では、記録を所望するデータに対して、上記第１のタイミング発生回路が生成する書き込みタイミングに基づき上記第２の記録フォーマットに対応する変調処理を施す変調回路と、その変調回路にて変調処理の施されたデータに基づいて書き込み信号をデータ記録対象となるディスク媒体に応じた強度に制御する信号強度制御回路と、をさらに備える。このため、第１のタイミング発生回路が生成する書き込みタイミングに応じて、第２の記録フォーマットに対応する変調を施されたデータが、ディスク媒体に適した強度の信号として出力されるようになる。
【００６１】
請求項８に記載の発明では、記録を所望するデータに対して、上記第２のタイミング発生回路が生成する書き込みタイミングに基づき上記第１の記録フォーマットに対応する第１の変調処理を施す第１の変調回路と、記録を所望するデータに対して、上記第１のタイミング発生回路が生成する書き込みタイミングに基づき第２の記録フォーマットに対応する第２の変調処理を施す第２の変調回路と、第１および第２の変調回路のいずれか一方にて変調処理の施されたデータに基づいて書き込み信号を上記第１の記録フォーマットに対応するディスク媒体に応じた強度に制御する第１の信号強度制御回路と、上記第２の変調回路にて変調処理の施されたデータに基づいて書き込み信号を上記第２の記録フォーマットに対応するディスク媒体に応じた強度に制御する第２の信号強度制御回路と、をさらに備える。このため、第１のタイミング発生回路が生成する書き込みタイミングに応じて、第１または第２の記録フォーマットに対応する変調を施されたデータが、各ディスク媒体に適した強度の信号として出力されるようになる。また、第２のタイミング発生回路が生成する書き込みタイミングに応じて、第１の記録フォーマットに対応する変調を施されたデータが、ディスク媒体に適した強度の信号として出力されるようになる。これにより、たとえば、ＤＶＤに対しての通常のデータ記録とともに、ＣＤに対してのＣＤフォーマットまたはＤＶＤフォーマットによるデータ記録が可能となる。すなわち、これらディクス媒体を用いた記録に際してより高い汎用性をもたせることができるようになる。
【図面の簡単な説明】
【図１】本発明にかかるデータ記録制御装置の第１の実施の形態について、そのシステム構成をデータ記録の処理手順とともに例示するブロック図。
【図２】同実施の形態によるアドレス変換について例示する説明図。
【図３】上記アドレス変換を行うアドレスコンバータによる処理手順を例示するフローチャート。
【図４】本発明にかかるデータ記録制御装置の第２の実施の形態について、そのシステム構成をデータ記録の処理手順とともに例示するブロック図。
【図５】従来のＤＶＤとＣＤとを記録媒体として扱うデータ記録制御装置について、そのシステム構成をデータ記録の処理手順とともに例示するブロック図。
【図６】従来のＤＶＤとＣＤとを記録媒体として扱うデータ記録装置について、データの再生手順を例示するブロック図。
【符号の説明】
１１…ディスク、１２…ヘッド部、１３…ＬＰＰ検出回路、１４…ＬＰＰデコーダ、１５…（ＤＶＤ）ライトタイミング発生回路、１６…８−１６変調回路、１７…ＤＶＤライトストラテジー、１８…セレクタ、１９…ライトシグナルゲート、２３…ウォブル検出回路、２４…ＡＴＩＰデコーダ、２５…ＣＤライトタイミング発生回路、２６…８−１４変調回路、２７…ＣＤライトストラテジー、２８…セレクタ、５１…セレクタ、５５…アドレスコンバータ。
【図１】
0003920666.tif 000002
【図２】
0003920666.tif 000003
【図３】
0003920666.tif 000004
【図４】
0003920666.tif 000005
【図５】
0003920666.tif 000006
【図６】
0003920666.tif 000007